(57)【要約】【課題】  流動案内部の作用により、吸入される空気の流速が吸入口全域にかけて均一になり、吸入空気の層流流動がなされるため、送風ファンの翼を通過する空気の圧力変動が最小限に抑えられ、送風ファンの流動騒音が低減される送風装置及びこれを備えた空気調和機を提供する。【解決手段】  本発明の送風装置は、送風ファンと、該送風ファンを取り囲むように設けられるとともに、少なくとも一つの吸入口を有するファンケーシングと、前記吸入口に設けられて吸入空気を前記送風ファン側に案内する吸入案内部材とを含めてなり、前記吸入案内部材は、前記吸入口から前記吸入口の前方に向けて所定の長さをもって延設された流動案内部を含む。【選択図】      図２
2005127309.tif 000002
【特許請求の範囲】
【請求項１】
送風ファンと、
前記送風ファンを取り囲むように設けられるとともに、少なくとも一つの吸入口を有するファンケーシングと、
前記吸入口に設けられて吸入空気を前記送風ファン側に案内する吸入案内部材と、を含めてなるものの、
前記吸入案内部材は、前記吸入口から前記吸入口の前方に向けて所定の長さをもって延設された流動案内部を含むことを特徴とする送風装置。
【請求項２】
前記吸入案内部材は、吸入空気の案内のために前記吸入口から前記送風ファン側に行くにつれて内径が次第に狭まる形態の曲面状に形成された曲面部をさらに含み、前記流動案内部が前記曲面部から前記吸入口の前方に向けて延びるように形成されることを特徴とする請求項１に記載の送風装置。
【請求項３】
前記流動案内部の内径が前記曲面部の最小内径よりも大きく形成されることを特徴とする請求項２に記載の送風装置。
【請求項４】
前記流動案内部の内径が前記曲面部の最小内径と同一に形成されることを特徴とする請求項２に記載の送風装置。
【請求項５】
熱交換器が組み込まれた本体と、
前記本体内に設置される送風ファン及びこれを取り囲むファンケーシングを備えた送風装置と、
前記ファンケーシングの吸入口に設けられて吸入空気の流動を案内する吸入案内部材とを含めてなるものの、
前記吸入案内部材は、前記吸入口から前記吸入口の前方に向けて所定の長さをもって延設された流動案内部を含むことを特徴とする空気調和機。
【請求項６】
前記吸入案内部材は、吸入空気の案内のために前記吸入口から前記送風ファン側に行くにつれて内径が次第に狭まる形態の曲面状に形成された曲面部をさらに含み、前記流動案内部が前記曲面部から前記吸入口の前方に向けて延びるように形成されることを特徴とする請求項５に記載の空気調和機。
【請求項７】
前記流動案内部の内径が前記曲面部の最小内径よりも大きく形成されることを特徴とする請求項６に記載の空気調和機。
【請求項８】
前記流動案内部の内径が前記曲面部の最小内径と同一に形成されることを特徴とする請求項６に記載の空気調和機。
【発明の詳細な説明】
【技術分野】
【０００１】
本発明は、送風装置及びこれを備えた空気調和機に関し、さらに詳細には、送風騒音を低減するべく吸入案内部材の構造を改善した送風装置及びこれを備えた空気調和機に関する。
【背景技術】
【０００２】
一般の空調ダクトや空気調和機などには、日本公開特許公報２００３−３９９７号及び日本公開特許公報２０００−３９１９９号に開示されたような送風装置が設けられている。この種の送風装置は、通常、多数の翼を有する遠心型送風ファンと、送風ファンを駆動するモータと、送風ファンを取り囲むように設けられて、吸入空気を送風ファンに案内するファンケーシングと、を含む構成となっている。また、ファンケーシングには空気の吸入のための吸入口と空気の吐出のための吐出口がそれぞれ形成され、ファンケーシングの吸入口には吸い込まれる空気を案内するためのものとして、通常“ベルマウス(bell  mouth)”と呼ばれる吸入案内部材が備えられる。
【０００３】
従来の送風装置において、吸入案内部材は、送風ファン側に行くにつれて吸入口の内径が次第に狭まる形態の緩やかな曲線型からなり、送風ファンの吸入側に流入する空気の流動を円滑にする機能を行った。
【０００４】
しかしながら、このような吸入案内部材を採用した従来の送風装置は、送風ファンの回転により空気が吸い込まれるとき、ファンケーシング吸入口の中央部分よりも吸入口の周り部分、すなわち吸入案内部材と近接する部分において流体の流動が速くなるとともに吸入流量も多くなるため送風流量の面では有利ではあるが、送風ファンの翼にかかる圧力変動が非常に激しくなり、流動騒音の増加につながるといった問題があった。
【発明の開示】
【発明が解決しようとする課題】
【０００５】
本発明は、上記の事情の下になされたものであり、その目的は、吸入案内部材と近接する吸入口の外側領域において流体の流動速度を低下させて送風ファンの翼にかかる圧力変動を低減させ、これにより、流動騒音を低減できる送風装置及びこれを備えた空気調和機を提供することにある。
【課題を解決するための手段】
【０００６】
上記の目的を達成するべく本発明の送風装置は、送風ファンと、前記送風ファンを取り囲むように設けられるとともに、少なくとも一つの吸入口を有するファンケーシングと、前記吸入口に設けられて吸入空気を前記送風ファン側に案内する吸入案内部材と、を含めてなる送風装置であって、前記吸入案内部材は、前記吸入口から前記吸入口の前方に向けて所定の長さをもって延設された流動案内部を含む。
【０００７】
また、前記吸入案内部材は、吸入空気の案内のために前記吸入口から前記送風ファン側に行くにつれて内径が次第に狭まる形態の曲面状に形成された曲面部をさらに含み、前記流動案内部が前記曲面部から前記吸入口の前方に向けて延びるように形成されることを特徴とする。
【０００８】
また、前記流動案内部は、その内径が前記曲面部の最小内径よりも大きく形成されることを特徴とする。また、前記流動案内部は、その内径が前記曲面部の最小内径と同一に形成されることを特徴とする。
【０００９】
また、本発明に係る空気調和機は、熱交換器が組み込まれた本体と、前記本体内に設置される送風ファン及びこれを取り囲むファンケーシングを備えた送風装置と、前記ファンケーシングの吸入口に設けられて吸入空気の流動を案内する吸入案内部材とを含めてなるものであって、前記吸入案内部材は、前記吸入口から前記吸入口の前方に向けて所定の長さをもって延設された流動案内部を含むことを特徴とする。
【発明の効果】
【００１０】
上述した如く、本発明に係る送風装置は、吸入口から吸入口の前方に向けて延設された流動案内部の作用により、流入される空気の流速が吸入口全域にかけて均一になり、吸入空気が層流流動するよう案内されるため、送風ファンの翼を通過する空気の圧力変動が最小限に抑えられ、送風ファンの流動騒音が低減する効果がある。
【発明を実施するための最良の形態】
【００１１】
以下、本発明の好ましい実施例を添付図面を参照しつつ詳細に説明する。図面中、同一の構成要素には可能な限り同一の参照符号及び番号を共通使用するものとする。
【００１２】
図１は、本発明の第１実施例に係る送風装置２０が適用された空気調和機の構成を示す断面図である。図１に示すように、本発明の空気調和機は、内部に熱交換器１３と送風装置２０とを含む箱型の本体１０を備える。熱交換器１３は、本体１０内に流入して循環する室内空気から／に熱を吸収／伝達し、本体１０から部屋へ室内空気を放出する前に室内空気の温度を下降または上昇させる。また、送風装置２０は、吸引力を生じさせて室内空気を本体１０に吸入させ、それがその本体１０内部で循環されるようにする。また、本体１０の前面には室内空気が本体１０の内部に吸込まれるように下側に吸入口１１が形成され、調和された空気を再び室内空間に吐出させるべく上側に吐出口１２が形成される。
【００１３】
本体１０内部の送風装置２０は、本体１０の吸入口１１から流入して熱交換器１３を経た空気を、吐出口１２側に強制送風させる機能を行うものであり、例えば、複数の翼２１ａを有する遠心型の送風ファン２１(図２参照)と、この送風ファン２１を回転させるべく本体１０の内面に固定されたモータ２２と、送風ファン２１を取り囲むように設置されて空気の流れを案内するファンケーシング２３とを含む。
【００１４】
また、ファンケーシング２３は、送風ファン２１を収容できるように円筒形状にできた胴体部２３ａと、胴体部２３ａの上部に設けられて本体１０内の空間を上部空間と下部空間とに仕切る仕切り板２３ｂと、胴体部２３ａの下部を本体１０の内面に支持させる支え脚２３ｃと、を含む。またファンケーシング２３の胴体部２３ａには、送風ファン２１の前方と後方に空気が流入して上部から吐出されるように前方と後方の両側にそれぞれ吸入口２４ａ、２４ｂが形成され、上部に吐出口２５が形成されるし、さらに、両側の吸入口２４ａ、２４ｂ側にはファンケーシング２３内部に吸い込まれる空気の流動を案内するための吸入案内部材３０が設けられる。ここで、本実施例では、空気の吸入流動を案内する吸入案内部材３０がファンケーシング２３の胴体部２３ａと一体形成される。
【００１５】
この吸入案内部材３０は、図２に示すように、ファンケーシング２３の吸入口２４ａ、２４ｂを介して送風ファン２１の吸入側に流入する空気の流動が円滑になるように送風ファン２１側に行くにつれてその内径が次第に狭まる形となると同時に、緩やかな曲線状を有する曲面部３１と、この曲面部３１から吸入口２４ａの前方に向けて所定の長さをもって延びたリング形状の流動案内部３２とを含む。ここで、流動案内部３２の内径は曲面部３１の最小内径よりも大きく形成される。
【００１６】
このように構成すれば、送風動作がなされるさい、流動案内部３２の外郭領域(“Ａ”領域)の空気が吸入案内部材３０の曲面部３１に沿って吸入口２４ａ側に流入する現象を流動案内部３２が制限することによって、吸入案内部材３０の曲面部３１と隣接する部分の空気流動速度を遅らせることができる。すなわち、流動案内部３２が吸入口２４ａ前方の外郭領域(“Ａ”領域)から吸入口２４ａ側に直接流入する現象を防いで吸入案内部材３０と隣接する位置の吸入口２４ａの周りを沿って吸い込まれる空気の流量と流速を減少させたのである。また、この構成では、流動案内部３２を吸入口２４ａの前後方向(空気の流動方向)に沿って所定の長さで形成させたため、吸入口２４ａを介して吸い込まれる空気が流動案内部３２の内面に沿って案内され、吸入空気が層流流動できるようになるのである。
【００１７】
また、これにより、吸入口２４ａの中央部分を介して流入する空気と吸入案内部材３０と隣接する部分を介して流入する空気との流速偏差が縮まり、吸入口２４ａ全域の流速が比較的均一になる。さらに、このような吸入口２４ａの中央部分と周辺領域における流速偏差の低減により、送風ファン２１の翼２１ａにかかる負荷が比較的均一に分布し、送風ファン翼２１ａにおける圧力変動が最小限に抑えられるため、送風過程での流動騒音を減らすことができる。
【００１８】
図３は、図２に対応するものであり、本発明の第２実施例に係る空気調和機の送風装置に適用される吸入案内部材４０の構成を示す図である。図３に示すように、流動案内部４２が、吸入案内部材４０の曲面部４１の端部、すなわち最小内径部分から吸入口２４ａの前方に向けて延設されている。これは、上述した例と同様に、吸入口２４ａ前方の外郭領域(“Ａ”領域)の空気が吸入口側に直接流動するのを流動案内部４２が制限すると同時に、上述した例での流動案内部３２よりも長い直線型の流動案内部４２の内面に沿って吸入空気の層流流動が案内されるため、送風過程において送風ファンの翼２１ａを通過する空気の流動騒音がより低減する。
【図面の簡単な説明】
【００１９】
【図１】本発明の第１実施例に係る送風装置が適用された空気調和機の構成を示す断面図である。
【図２】図１のII部分の詳細図であり、本発明に係る送風装置の吸入案内部材の構成を示す断面図である。
【図３】図２に対応するものであり、本発明の第２実施例に係る送風装置の吸入案内部材の構成を示す断面図である。
【符号の説明】
【００２０】
１０    本体
１１、２４ａ、２４ｂ  吸入口
１２    吐出口
１３    熱交換器
２０    送風装置
２１    送風ファン
２１ａ  送風ファン翼
２２    モータ
２３    ファンケーシング
２３ａ  胴体部
２３ｂ  仕切り板
２５    吐出口
３０、４０  吸入案内部材
３１    局面部
３２、４２  流動案内部
【図１】
2005127309.tif 000003
【図２】
2005127309.tif 000004
【図３】
2005127309.tif 000005